(57)【要約】【課題】モバイル端末におけるハイブリッド童話絵本提供装置及び方法が開示される。【解決手段】モバイル端末におけるハイブリッド童話絵本提供装置は、端末ユーザによって選択されたブック−アプリケーションをストアサーバからダウンロードするダウンローダーと、ダウンロードされたブック−アプリケーションに対する実行命令に応じて入力ＵＩを画面上に表示し、入力ＵＩに選定された条件を満足して認証番号が入力される場合、ストアサーバ内の有料データベースからブック−アプリケーションに関連する第１童話絵本コンテンツを検索するプロセッサと、検索された第１童話絵本コンテンツを人物イメージを用いて加工し、ブック−アプリケーションによって加工された第１童話絵本コンテンツを視覚化する制御ディスプレイを備える。【選択図】      図１
2013191193.tif 000002
【特許請求の範囲】
【請求項１】
端末ユーザによって選択されたブック−アプリケーションをストアサーバからダウンロードするダウンローダーと、
前記ダウンロードされたブック−アプリケーションに対する実行命令に応じて入力ＵＩを画面上に表示し、前記入力ＵＩに選定された条件を満足して認証番号が入力される場合、前記ストアサーバ内の有料データベースから前記ブック−アプリケーションに関連する第１童話絵本コンテンツを検索するプロセッサと、
前記検索された第１童話絵本コンテンツを人物イメージを用いて加工し、前記ブック−アプリケーションによって前記加工された第１童話絵本コンテンツを視覚化する制御ディスプレイと、
を備えることを特徴とするモバイル端末におけるハイブリッド童話絵本提供装置。
【請求項２】
カメラによって撮像されたイメージを前記人物イメージとして取得したり、または、命令に応じてメモリから抽出されるイメージを前記人物イメージとして決定するインタフェースをさらに含み、
前記制御ディスプレイは、前記第１童話絵本コンテンツ内の登場人物の顔面を前記人物イメージに代替して前記童話絵本コンテンツを加工することを特徴とする請求項１に記載のモバイル端末におけるハイブリッド童話絵本提供装置。
【請求項３】
前記入力ＵＩに前記条件を満足して前記認証番号が入力されない場合、
前記プロセッサは、前記ストアサーバ内の無料データベースから前記第１童話絵本コンテンツの一部としての第２童話絵本コンテンツを検索し、
前記制御ディスプレイは、前記検索された第２童話絵本コンテンツを前記ブック−アプリケーションによって視覚化することを特徴とする請求項１に記載のモバイル端末におけるハイブリッド童話絵本提供装置。
【請求項４】
前記有料データベースは、前記第１童話絵本コンテンツに相応する出版物の製作によって付与される認証番号を前記第１童話絵本コンテンツに対応させて格納し（前記認証番号は前記出版物内に印字されて含む）、
前記プロセッサは、前記出版物を介して前記認証番号を認知した前記端末ユーザによって前記入力ＵＩに入力された認証番号が前記有料データベースから検索されれば、前記条件を満足して前記認証番号が入力されるものと判断することを特徴とする請求項１に記載のモバイル端末におけるハイブリッド童話絵本提供装置。
【請求項５】
前記有料データベースは、前記出版物を購入した端末ユーザの識別情報を前記第１童話絵本コンテンツにさらに対応させて格納し、
前記制御ディスプレイは、前記第１童話絵本コンテンツを視覚化する端末の識別情報が前記有料データベースから検索されれば、前記視覚化を許容することを特徴とする請求項４に記載のモバイル端末におけるハイブリッド童話絵本提供装置。
【請求項６】
前記プロセッサは、前記人物イメージに対する人物の性別を識別し、前記識別された人物の性別に応じて前記登場人物のうち主人公の顔面を前記人物イメージに代替することを特徴とする請求項２に記載のモバイル端末におけるハイブリッド童話絵本提供装置。
【請求項７】
前記人物イメージがｎ個（ｎは自然数）である場合、
前記インタフェースは、前記ｎ個の人物イメージにマッチングされるそれぞれの登場人物が選択され、
前記制御ディスプレイは、前記選択に基づいて前記各登場人物の顔面を前記ｎ個の人物イメージに代替することを特徴とする請求項２に記載のモバイル端末におけるハイブリッド童話絵本提供装置。
【請求項８】
前記第１童話絵本コンテンツを出力装置でスキャンして出力する出力部をさらに備えることを特徴とする請求項１に記載のモバイル端末におけるハイブリッド童話絵本提供装置。
【請求項９】
端末ユーザによって選択されたブック−アプリケーションをストアサーバからダウンロードするステップと、
前記ダウンロードされたブック−アプリケーションに対する実行命令に応じて入力ＵＩを画面上に表示し、前記入力ＵＩに選定された条件を満足して認証番号が入力される場合、前記ストアサーバ内の有料データベースから前記ブック−アプリケーションに関連する第１童話絵本コンテンツを検索するステップと、
前記検索された第１童話絵本コンテンツを人物イメージを用いて加工し、前記ブック−アプリケーションによって前記加工された第１童話絵本コンテンツを視覚化するステップと、
を含むことを特徴とするモバイル端末におけるハイブリッド童話絵本提供方法。
【請求項１０】
カメラによって撮像されたイメージを前記人物イメージとして取得したり、または、命令に応じてメモリから抽出されるイメージを前記人物イメージとして決定するステップをさらに含み、
前記加工された第１童話絵本コンテンツを視覚化するステップは、前記第１童話絵本コンテンツ内の登場人物の顔面を前記人物イメージに代替して前記童話絵本コンテンツを加工して提供するステップを含むことを特徴とする請求項９に記載のモバイル端末におけるハイブリッド童話絵本提供方法。
【請求項１１】
前記入力ＵＩに前記条件を満足して前記認証番号が入力されない場合、
前記ストアサーバ内の無料データベースから前記第１童話絵本コンテンツの一部としての第２童話絵本コンテンツを検索するステップと、
前記検索された第２童話絵本コンテンツを前記ブック−アプリケーションによって視覚化するステップと、
をさらに含むことを特徴とする請求項９に記載のモバイル端末におけるハイブリッド童話絵本提供方法。
【請求項１２】
前記有料データベースに前記第１童話絵本コンテンツに相応する出版物の製作によって付与される認証番号を前記第１童話絵本コンテンツに対応させて格納するステップと、
前記出版物を介して前記認証番号を認知した前記端末ユーザによって、前記入力ＵＩに入力された認証番号が前記有料データベースから検索されれば、前記条件を満足して前記認証番号が入力されると判断するステップと、
をさらに含むことを特徴とする請求項９に記載のモバイル端末におけるハイブリッド童話絵本提供方法。
【請求項１３】
前記童話絵本コンテンツを加工して提供するステップは、前記人物イメージに対する人物の性別を識別し、前記識別された人物の性別に応じて前記登場人物のうち主人公の顔面を前記人物イメージに代替して提供するステップを含むことを特徴とする請求項１０に記載のモバイル端末におけるハイブリッド童話絵本提供方法。
【請求項１４】
前記童話絵本コンテンツを加工して提供するステップは、前記人物イメージがｎ個（ｎは自然数）である場合、前記ｎ個の人物イメージにマッチングされる各登場人物が選択され、前記選択に基づいて前記各登場人物の顔面を前記ｎ個の人物イメージに代替して提供するステップを含むことを特徴とする請求項１０に記載のモバイル端末におけるハイブリッド童話絵本提供方法。
【請求項１５】
前記第１童話絵本コンテンツを出力装置でスキャンして出力するステップをさらに含むことを特徴とする請求項９に記載のモバイル端末におけるハイブリッド童話絵本提供方法。
【発明の詳細な説明】
【技術分野】
【０００１】
本発明の実施形態は、ブック−アプリケーションによって端末ユーザの人物イメージを用いて加工した童話絵本コンテンツを提供する技術に関する。
【背景技術】
【０００２】
童話絵本は様々な形態に提供される。例えば、童話絵本は出版物または電子ブックの形態に提供され得る。ここで、電子ブックで提供される童話絵本は童話絵本コンテンツに対する映像を視覚化することによって、出版物から提供される童話絵本よりも面白さを感じさせる。
【０００３】
しかし、童話絵本を見るユーザ、すなわち、子どもは集中力が低いだけではなく、すぐに飽きがちである。そのため、子どもにさらに興味み深い童話絵本を提供する技術が求められている。
【発明の概要】
【発明が解決しようとする課題】
【０００４】
本発明は、ブック−アプリケーションによって端末ユーザの人物イメージを用いて加工した童話絵本コンテンツを提供することで、端末ユーザの童話に対する興味を誘発させ、感情移入を極大化し童話絵本に対する集中力を増加させて感動を倍加させることを目的とする。
【０００５】
本発明は、ブック−アプリケーションに対する実行命令に応じて、入力ＵＩを画面上に表示し、入力ＵＩから入力される認証番号が童話絵本コンテンツに相応する出版物に付与された認証番号である場合に童話絵本コンテンツを視覚化することによって、出版物の購買者にペーパー形態の童話絵本と共に電子状態の童話絵本を提供して様々な形態の童話絵本をサポートし、これによって出版物の販売を増加させることのできる環境を提供することを目的とする。
【課題を解決するための手段】
【０００６】
上記の目的を達成するためのモバイル端末におけるハイブリッド童話絵本提供装置は、端末ユーザによって選択されたブック−アプリケーションをストアサーバからダウンロードするダウンローダーと、前記ダウンロードされたブック−アプリケーションに対する実行命令に応じて入力ＵＩを画面上に表示し、前記入力ＵＩに選定された条件を満足して認証番号が入力される場合、前記ストアサーバ内の有料データベースから前記ブック−アプリケーションに関連する第１童話絵本コンテンツを検索するプロセッサと、前記検索された第１童話絵本コンテンツを人物イメージを用いて加工し、前記ブック−アプリケーションによって前記加工された第１童話絵本コンテンツを視覚化する制御ディスプレイとを備える。
【０００７】
上記の目的を達成するためのモバイル端末におけるハイブリッド童話絵本提供方法は、端末ユーザによって選択されたブック−アプリケーションをストアサーバからダウンロードするステップと、前記ダウンロードされたブック−アプリケーションに対する実行命令に応じて入力ＵＩを画面上に表示し、前記入力ＵＩに選定された条件を満足して認証番号が入力される場合、前記ストアサーバ内の有料データベースから前記ブック−アプリケーションに関連する第１童話絵本コンテンツを検索するステップと、前記検索された第１童話絵本コンテンツを人物イメージを用いて加工し、前記ブック−アプリケーションによって前記加工された第１童話絵本コンテンツを視覚化するステップとを含む。
【発明の効果】
【０００８】
本発明によると、ブック−アプリケーションによって端末ユーザの人物イメージを用いて加工した童話絵本コンテンツを提供することで、端末ユーザの童話に対する興味を誘発させ、感情移入を極大化して童話絵本に対する集中力を増加させて感動を倍加させることができる。
【０００９】
本発明によると、ブック−アプリケーションに対する実行命令に応じて、入力ＵＩを画面上に表示し、入力ＵＩから入力される認証番号が童話絵本コンテンツに相応する出版物に付与された認証番号である場合に童話絵本コンテンツを視覚化することによって、出版物の購買者にペーパー形態の童話絵本と共に電子状態の童話絵本を提供して様々な形態の童話絵本をサポートし、これによって出版物の販売を増加させ得る環境を提供することができる。
【図面の簡単な説明】
【００１０】
【図１】本発明の一実施形態に係るモバイル端末におけるハイブリッド童話絵本提供システムの構成を示す図である。
【図２】本発明の一実施形態に係るモバイル端末におけるハイブリッド童話絵本提供装置の構成を示す図である。
【図３】本発明の一実施形態に係るモバイル端末におけるハイブリッド童話絵本提供装置で視覚化する童話絵本コンテンツの一例を示す図である。
【図４】本発明の一実施形態に係るモバイル端末におけるハイブリッド童話絵本提供装置で視覚化する童話絵本コンテンツの一例を示す図である。
【図５】本発明の一実施形態に係るモバイル端末におけるハイブリッド童話絵本提供方法を示すフローチャートである。
【発明を実施するための形態】
【００１１】
以下、添付の図面を参照しながら本発明の一実施形態に係るモバイル端末におけるハイブリッド童話絵本提供装置及び方法について詳細に説明する。ここで、モバイル端末におけるハイブリッド童話絵本提供装置はモバイル端末内部に含まれるが、これに限定されることはない。
【００１２】
図１は、本発明の一実施形態に係るモバイル端末におけるハイブリッド童話絵本提供システムの構成を示す図である。
【００１３】
図１を参照すれば、本発明の一実施形態に係るモバイル端末におけるハイブリッド童話絵本提供システム１００は、モバイル端末におけるハイブリッド童話絵本提供装置１０１及びストアサーバ１０３を備える。
【００１４】
ハイブリッド童話絵本提供装置１０１は、接続したストアサーバ１０３にブック−アプリケーション（ｂｏｏｋ−ａｐｐｌｉｃａｉｏｎ）のダウンロードリクエストを発生してブック−アプリケーションをダウンロードし、ダウンロードされたブック−アプリケーションに対する実行命令に応じて、ブック−アプリケーションに関連する童話絵本コンテンツをストアサーバ１０３にリクエストしてもよい。ハイブリッド童話絵本提供装置１０１は、ストアサーバ１０３から提供された童話絵本コンテンツを人物イメージ（例えば、端末ユーザの顔面イメージ）を用いて加工し、ブック−アプリケーションによって加工された童話絵本コンテンツを視覚化する。
【００１５】
ここで、ハイブリッド童話絵本提供装置１０１は、ブック−アプリケーションに対する実行命令に応じて入力ＵＩを画面上に表示し、入力ＵＩに選定された条件（例えば、入力ＵＩに入力された認証番号がストアサーバ内の有料データベースで検索される場合）を満足して認証番号が入力される場合、ストアサーバ１０３から有料データベースに格納された第１童話絵本コンテンツが提供されてもよい。ここで、認証番号は、第１童話絵本コンテンツに相応する出版物によって認証番号を認知した端末ユーザにより入力される。
【００１６】
一方、ハイブリッド童話絵本提供装置１０１は、入力ＵＩに選定された条件を満足して認証番号が入力されない場合、ストアサーバ１０３から無料データベースに格納された第２童話絵本コンテンツ（すなわち、第１童話絵本コンテンツの一部）が提供される。
【００１７】
また、ハイブリッド童話絵本提供装置１０１は、コンテンツ出力リクエストに連動して第１童話絵本コンテンツをスキャンして出力することによって、ペーパー形態の童話絵本を製作してもよい。
【００１８】
ストアサーバ１０３は、ハイブリッド童話絵本提供装置１０１からのブック−アプリケーションのダウンロードリクエストに応答し、ブック−アプリケーションをハイブリッド童話絵本提供装置１０１に提供してもよい。
【００１９】
また、ストアサーバ１０３は、ハイブリッド童話絵本提供装置１０１からのブック−アプリケーションに関連する童話絵本コンテンツリクエストに応じて童話絵本コンテンツをハイブリッド童話絵本提供装置１０１に提供してもよい。
【００２０】
ここで、ストアサーバ１０３は、ハイブリッド童話絵本提供装置１０１から認証番号を受信し、受信された認証番号が有料データベースから検索される場合、認証番号に対応する第１童話絵本コンテンツを有料データベースから検索してハイブリッド童話絵本提供装置１０１に提供してもよい。一方、ストアサーバ１０３は、ハイブリッド童話絵本提供装置１０１より受信された認証番号が有料データベースから検索されない場合、無料データベースから第２童話絵本コンテンツを検索してハイブリッド童話絵本提供装置１０１に提供してもよい。
【００２１】
図２は、本発明の一実施形態に係るモバイル端末におけるハイブリッド童話絵本提供装置の構成を示す図である。
【００２２】
モバイル端末におけるハイブリッド童話絵本提供装置１０１は、ストアサーバからの童話絵本コンテンツの提供を受けて視覚化してもよい。参考に、ストアサーバは有料データベース及び無料データベースを含む。
【００２３】
有料データベースは、第１童話絵本コンテンツに相応する出版物の製作により付与される認証番号を第１童話絵本コンテンツに対応して格納する。認証番号は出版物内に印字されて含まれてもよい。これによって、端末ユーザは出版物の購買を完了した後、出版物内に印字された認証番号を取得することができる。
【００２４】
また、有料データベースは、出版物を購入した端末ユーザの識別情報を第１童話絵本コンテンツにさらに対応して格納してもよい。
【００２５】
無料データベースは、第１童話絵本コンテンツの一部としての第２童話絵本コンテンツを格納する。
【００２６】
図２を参照すれば、本発明の一実施形態に係るモバイル端末におけるハイブリッド童話絵本提供装置１０１は、ダウンローダー２０１、インタフェース２０３、プロセッサ２０５、制御ディスプレイ２０７、及び出力部２０９を備える。
【００２７】
ダウンローダー２０１は、端末ユーザによって選択されたブック−アプリケーションをストアサーバからダウンロードする。
【００２８】
ここで、ダウンローダー２０１は、ブック−アプリケーションをダウンロードするとき、ブック−アプリケーションに対する料金決済を選択的に行なってもよい。ここで、ストアサーバは、モバイル端末におけるハイブリッド童話絵本提供装置１０１において料金決済が完了すれば、端末ユーザの識別情報（例えば、端末の識別番号）を取得して有料データベースに記録してもよい。
【００２９】
インタフェース２０３は、カメラによって撮像されたイメージを人物イメージとして取得したり、または、命令に応じてメモリから抽出されるイメージを人物イメージとして決定する。すなわち、インタフェース２０３は、ブック−アプリケーションを実行する時点で実行と連動して撮像したイメージを人物イメージとして取得したり、または、メモリに基格納されたイメージを人物イメージとして決定してもよい。
【００３０】
ここで、インタフェース２０３は、童話絵本コンテンツ内の登場人物を背景画面として提供するカメラによって、人の顔面が撮像されたイメージを人物イメージとして取得してもよい。
【００３１】
インタフェース２０３は、ｎ個（ｎは自然数）の人物イメージを取得する場合、ブック−アプリケーションに関連する第１童話絵本コンテンツ内の登場人物のうち、ｎ個の人物イメージにマッチングされる各登場人物の選択が受けられる。
【００３２】
プロセッサ２０５は、ダウンロードされたブック−アプリケーションに対する実行命令に応じて入力ＵＩを画面上に表示し、入力ＵＩに選定された条件に満足して認証番号が入力されるか否かに応じて、ストアサーバ内の有料データベースまたは無料データベースから童話絵本コンテンツを検索する。ここで、プロセッサ２０５は、童話絵本コンテンツに相応する出版物を介して認証番号を認知した端末ユーザによって入力ＵＩに入力された認証番号が有料データベースから検索されれば、条件を満足して認証番号が入力するものと判断する。
【００３３】
具体的に、プロセッサ２０５は、入力ＵＩに選定された条件を満足して認証番号が入力される場合、ストアサーバ内の有料データベースからブック−アプリケーションに関連する第１童話絵本コンテンツ（または、認証番号に関連する第１童話絵本コンテンツ）を検索する。一方、プロセッサ２０５は、入力ＵＩに条件を満足して認証番号が入力されない場合、ストアサーバ内の無料データベースから第１童話絵本コンテンツの一部としての第２童話絵本コンテンツを検索する。すなわち、プロセッサ２０５は、出版物内に印字された認証番号が入力ＵＩに入力されないことによって体験版の第２童話絵本コンテンツを検索する。
【００３４】
制御ディスプレイ２０７は、入力ＵＩに条件を満足して認証番号が入力される場合、検索された第１童話絵本コンテンツを人物イメージを用いて加工し、ブック−アプリケーションによって加工された第１童話絵本コンテンツを視覚化する。すなわち、制御ディスプレイ２０７は、出版物内に印字された認証番号が入力ＵＩから入力されることでフルバージョン（ｆｕｌｌ  ｖｅｒｓｉｏｎ）の第１童話絵本コンテンツを提供することができる。
【００３５】
ここで、制御ディスプレイ２０７は、検索された第１童話絵本コンテンツ内の登場人物の顔面を人物イメージに代替して童話絵本コンテンツを加工することができる。すなわち、制御ディスプレイ２０７は、第１童話絵本コンテンツ内の登場人物の顔面を端末ユーザまたは周辺の友人の人物イメージに代替して童話絵本コンテンツを加工した後、加工した童話絵本コンテンツを提供することで興味を誘発し童話に対する感情移入を極大化することができる。
【００３６】
具体的に、制御ディスプレイ２０７は、人物イメージに対する人物の性別を識別し（例えば、人物イメージの分析結果に基づいて性別を識別したり、人物の性別を端末ユーザから入力される）、識別された人物の性別に応じて登場人物のうち主人公の顔面を人物イメージに代替してもよい。例えば、制御ディスプレイ２０７は、人物イメージに対する人物の性別が「男性」である場合、主人公「王子」の顔面を人物イメージに代替してもよい。
【００３７】
また、制御ディスプレイ２０７は、人物イメージがｎ個（ｎは自然数）である場合、インタフェース２０３によって入力されたｎ個の人物イメージにマッチングされる登場人物の選択に基づいて各登場人物の顔面をｎ個の人物イメージに代替する。例えば、制御ディスプレイ２０７は、人物イメージが「３つ」である場合、「第１人物イメージ」にマッチングされる「第１登場人物」、「第２人物イメージ」にマッチングされる「第２登場人物」、第「３人物イメージ」にマッチングされる「第３登場人物」が選択され、選択に基づいて「第１ないし第３登場人物」の顔面それぞれに「第１ないし第３人物イメージ」に代替する。
【００３８】
したがって、制御ディスプレイ２０７は、第１童話絵本コンテンツ内の各登場人物の顔面を端末ユーザの人物イメージと共に周辺の友人に対する人物イメージに代替することで、童話の本を見ることが１つの遊びに感じさせることができる。
【００３９】
制御ディスプレイ２０７は、入力ＵＩに条件を満足して認証番号が入力されない場合、プロセッサ２０５で検索された第２童話絵本コンテンツをブック−アプリケーションによって視覚化する。すなわち、制御ディスプレイ２０７は、出版物内に印字された認証番号が入力ＵＩに入力されないことによって、体験版の第２童話絵本コンテンツを提供してもよい。ここで、制御ディスプレイ２０７は、加工されていない第２童話絵本コンテンツを提供してもよいが、これに限定されることなく、第２童話絵本コンテンツ内の登場人物の顔面を人物イメージに加工して提供してもよい。
【００４０】
制御ディスプレイ２０７は、体験版の第２童話絵本コンテンツを提供することによって、フルバージョンの第２童話絵本コンテンツを取得するために認証番号が提供される出版物の購買を促進させ得る。
【００４１】
また、制御ディスプレイ２０７は、第１童話絵本コンテンツを視覚化する端末の識別情報がストアサーバ内の有料データベースから検索されれば、視覚化を許容することができる。すなわち、制御ディスプレイ２０７は、ブック−アプリケーションをダウンロードするとき、ブック−アプリケーションに対する料金決済が行われることによって、有料データベースに格納された端末ユーザの識別情報が第１童話絵本コンテンツを視覚化する端末の識別情報として検索されれば、既に料金決済が完了した状態であるため認証番号の入力手続を省略することができる。
【００４２】
出力部２０９は、ブック−アプリケーションに関連する第１童話絵本コンテンツを出力装置でスキャンして出力することで、ペーパー形態の童話絵本の製作を可能にし、出版物の他にも余分の童話絵本を所有することを可能にする。
【００４３】
図３は、本発明の一実施形態に係るモバイル端末におけるハイブリッド童話絵本提供装置で視覚化する童話絵本コンテンツの一例を示す図である。
【００４４】
図３を参照すれば、ハイブリッド童話絵本提供装置は、ブック−アプリケーションに対する実行命令に応じて入力ＵＩを画面上に表示し、入力ＵＩに選定された条件を満足して認証番号が入力される場合、ストアサーバ内の有料データベースからブック−アプリケーションに関連する第１童話絵本コンテンツを検索して視覚化する。
【００４５】
例えば、ハイブリッド童話絵本提供装置は、ブック−アプリケーションに対する実行命令に応じて入力ＵＩを画面上に表示し、入力ＵＩに入力された認証番号、すなわち、「ＢＦ３４−６７Ｑ２−ＸＸＸＸ」３０１がストアサーバ内の有料データベースから検索される場合、有料データベースでブック−アプリケーションに関連する第１童話絵本コンテンツを検索して視覚化する。ここで、認証番号は、第１童話絵本コンテンツに相応する出版物を介して認証番号３０３を認知した端末ユーザによって入力されてもよい。
【００４６】
ここで、ハイブリッド童話絵本提供装置は、検索された第１童話絵本コンテンツを人物イメージを用いて加工し、ブック−アプリケーションによって加工された第１童話絵本コンテンツを視覚化してもよい。例えば、ハイブリッド童話絵本提供装置は、検索された第１童話絵本コンテンツ内の登場人物の顔面を端末ユーザ、すなわち、「アンナ」の人物イメージ３０５に代替して第１童話絵本コンテンツを加工し、ブック−アプリケーションによって加工された第１童話絵本コンテンツを視覚化することができる。
【００４７】
図４は、本発明の一実施形態に係るモバイル端末におけるハイブリッド童話絵本提供装置で視覚化する童話絵本コンテンツの一例を示す図である。
【００４８】
図４を参照すれば、ハイブリッド童話絵本提供装置は、ブック−アプリケーションに対する実行命令に応じてストアサーバ内の有料データベースからブック−アプリケーションに関連する第１童話絵本コンテンツを検索し、検索された第１童話絵本コンテンツを人物イメージを用いて加工した後視覚化して提供する。
【００４９】
ここで、ハイブリッド童話絵本提供装置は、人物イメージがｎ個（ｎは自然数）である場合、第１童話絵本コンテンツ内の登場人物のうち、ｎ個の人物イメージにマッチングされる各登場人物が選択され、選択に基づいて各登場人物の顔面をｎ個の人物イメージに代替することによって第１童話絵本コンテンツを加工してもよい。ここで、ハイブリッド童話絵本提供装置は、人物イメージがｎ個（ｎは自然数）である場合、人物イメージリストと共に登場人物リストを提供し、人物イメージ及び登場人物間を連結するマッチング線が入力されたり、または、登場人物に人物イメージをドラッグすることによって、ｎ個の人物イメージにマッチングされる各登場人物が選択される。
【００５０】
例えば、ハイブリッド童話絵本提供装置は、取得した人物イメージが「３つ」である場合、登場人物と共に「３つ」の人物イメージ４０１、４０３、４０５を表示し、「３つ」の各人物イメージ４０１、４０３、４０５に対して登場人物にドラッグすることによって、登場人物の顔面それぞれを「３つ」の各人物イメージ４０１、４０３、４０５に代替してもい。
【００５１】
図５は、本発明の一実施形態に係るモバイル端末におけるハイブリッド童話絵本提供方法を示すフローチャートである。
【００５２】
図５を参照すれば、ステップＳ５０１において、ハイブリッド童話絵本提供装置は、端末ユーザによって選択されたブック−アプリケーションをストアサーバからダウンロードする。
【００５３】
ステップＳ５０３において、ハイブリッド童話絵本提供装置は、ダウンロードされたブック−アプリケーションに対する実行命令に応じて入力ＵＩを画面上に表示する。
【００５４】
ステップＳ５０５において、ハイブリッド童話絵本提供装置は、入力ＵＩに選定された条件を満足して認証番号が入力されるかを判断する。ここで、ハイブリッド童話絵本提供装置は、出版物を介して認証番号を認知した端末ユーザによって入力ＵＩに入力された認証番号が有料データベースから検索されれば、条件を満足して認証番号が入力されるものと判断する。ここで、有料データベースは、第１童話絵本コンテンツに相応する出版物の製作により付与される認証番号（認証番号は、出版物内に印字されて含まれる）を第１童話絵本コンテンツに対応させて格納する。
【００５５】
ステップＳ５０７において、ハイブリッド童話絵本提供装置は、入力ＵＩに選定された条件を満足して認証番号が入力される場合、ストアサーバ内の有料データベースからブック−アプリケーションに関連する第１童話絵本コンテンツ（または、認証番号に関連する第１童話絵本コンテンツ）を検索する。
【００５６】
ステップＳ５０９において、ハイブリッド童話絵本提供装置は、検索された第１童話絵本コンテンツを人物イメージを用いて加工し、ブック−アプリケーションによって加工された第１童話絵本コンテンツを視覚化する。ここで、ハイブリッド童話絵本提供装置は、カメラによって撮像されたイメージを人物イメージとして取得したり、または、命令に応じてメモリから抽出されるイメージを人物イメージとして決定してもよい。
【００５７】
具体的に、ハイブリッド童話絵本提供装置は、第１童話絵本コンテンツ内の登場人物の顔面を人物イメージに代替して童話絵本コンテンツを加工してもよい。ここで、ハイブリッド童話絵本提供装置は、人物イメージに対する人物の性別を識別し（例えば、人物イメージの分析結果に基づいて性別を識別したり、人物の性別が端末ユーザから入力される）、識別された人物の性別に応じて登場人物のうち主人公の顔面を人物イメージに代替してもよい。
【００５８】
また、ハイブリッド童話絵本提供装置は、人物イメージがｎ個（ｎは自然数）である場合、ｎ個の人物イメージにマッチングされる各登場人物が選択され、ｎ個の人物イメージにマッチングされる登場人物の選択に基づいて各登場人物の顔面をｎ個の人物イメージに代替する。
【００５９】
ステップＳ５０７において、ハイブリッド童話絵本提供装置は入力ＵＩに条件を満足して認証番号が入力されない場合、ステップＳ５１１において、ストアサーバ内の無料データベースから第１童話絵本コンテンツの一部としての第２童話絵本コンテンツを検索する。
【００６０】
ステップＳ５１３において、ハイブリッド童話絵本提供装置は、検索された第２童話絵本コンテンツをブック−アプリケーションによって視覚化してもよい。
【００６１】
また、ハイブリッド童話絵本提供装置は、ブック−アプリケーションに関連する第１童話絵本コンテンツを視覚化する端末の識別情報がストアサーバ内の有料データベースから検索されれば視覚化を許容する。すなわち、ハイブリッド童話絵本提供装置は、ブック−アプリケーションをダウンロードするとき、ブック−アプリケーションに対する料金決済が行われることによって、有料データベースに格納された端末ユーザの識別情報が第１童話絵本コンテンツを視覚化する端末の識別情報として検索されれば、既に料金決済の完了された状態であるため認証番号入力の手続を省略することができる。
【００６２】
一方、ハイブリッド童話絵本提供装置は、ブック−アプリケーションに関連する第１童話絵本コンテンツを出力装置でスキャンして出力することでペーパー形態の童話絵本を製作することができる。
【００６３】
本発明の実施形態は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【００６４】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００６５】
したがって、本発明の範囲は、開示された実施形態に限定されるものではなく、特許請求の範囲だけではなく特許請求の範囲と均等なものなどによって定められるものである。
【符号の説明】
【００６６】
１０１      モバイル端末におけるハイブリッド童話絵本提供装置
２０１      ダウンローダー
２０３      インタフェース
２０５      プロセッサ
２０７      制御ディスプレイ
２０９      出力部
【図１】
2013191193.tif 000003
【図２】
2013191193.tif 000004
【図３】
2013191193.tif 000005
【図４】
2013191193.tif 000006
【図５】
2013191193.tif 000007